(57)【特許請求の範囲】
【請求項１】
用紙搬送路に配設され該用紙搬送路を通過する用紙に複数個の穴を穿設する用紙穿孔装置であって、
該用紙搬送路の上側に用紙搬送方向に直交して配設され下端に形成されたパンチ刃が該用紙搬送路の下側に位置するパンチ位置と該用紙搬送路の上側に退避する退避位置との間を作動可能に構成された複数個のパンチと、該複数個のパンチの各々を作動する複数個の押圧機構と、該複数個のパンチの用紙搬送方向下流側において該用紙搬送路に突出するストップ位置と該用紙搬送路から退避する退避位置の間を作動可能に配設された用紙ストッパと、該複数個の押圧機構の配列方向に沿って配設されたカム軸と、該カム軸に装着され該押圧機構を作動せしめる複数個の押圧カムと、該カム軸に装着され該用紙ストッパを作動せしめるストッパ作動カムと、該カム軸を回転駆動するカム駆動手段と、を具備している、
ことを特徴とする用紙穿孔装置。
【請求項２】
該押圧カムおよび該ストッパ作動カムは該押圧機構と該用紙ストッパを各々退避位置に位置付ける位相位置が一致し、該ストッパ作動カムは所定の角度位置において該用紙ストッパを該ストップ位置に位置付けるとともに、少なくとも該押圧カムが該パンチを該パンチ位置に位置付けるまで該用紙ストッパを該ストップ位置に位置付た状態を維持するように構成されている、請求項１記載の用紙穿孔装置。
【発明の詳細な説明】
【０００１】
【発明の属する技術分野】
本発明は、複写機やプリンタ等の画像形成機に装着され、画像形成後の用紙に穴を穿設する用紙穿孔装置に関する。
【０００２】
【従来の技術】
近年、複写機やプリンタ等の画像形成機において、画像形成後の用紙にファイリングするための穿孔処理（パンチ処理）を施す用紙穿孔装置を具備したものが広く実用に供されている。この用紙穿孔装置としては、画像が形成された用紙を原稿枚数に対応した１部毎に一旦用紙受入れ台に搬送し、ここで同時に穿孔処理を行う方式と、画像が形成された用紙を搬送する搬送路のパンチ処理部に穿孔用のパンチを配設し、該パンチ処理部を通過する際に用紙を一旦停止してこの停止時にパンチを作動して画像が形成された用紙に穿孔処理を行う所謂１枚打ち方式とが知られている。この二つの穿孔処理方式のうち所謂１枚打ち方式は、画像形成動作と同期して穿孔処理も行うことが可能であるため、画像形成動作時間と略同じ時間で穿孔処理を行うことができる利点がある。この所謂１枚打ち方式の穿孔装置を具備した画像形成機が、実公平３ー２５９１９号公報、特開平３ー１９０６９６号公報に開示されている。
【０００３】
上記実公平３ー２５９１９号公報に開示された穿孔装置は、画像が形成された用紙を搬送する搬送路に配設され用紙の前端を揃えて一旦停止させるストッパと、該ストッパの上流側に用紙搬送方向に直交して配設された２個のパンチと、該パンチを上下方向に往復動せしめるカム作動機構とによって構成されている。また、特開平３ー１９０６９６号公報に開示された穿孔装置は、画像が形成された用紙を搬送する搬送路のパンチ処理部に用紙搬送方向に直交して配設された２個のパンチと、該パンチを上下方向に往復動せしめるカム作動機構とを具備し、穿孔処理時には用紙を搬送する搬送ローラを一時停止して用紙を穿孔部に一時停止させるように構成されている。
【０００４】
【発明が解決しようとする課題】
上記実公平３ー２５９１９号公報に開示された穿孔装置は、上記ストッパを作動するための電磁ソレノイド等の駆動手段が必要であり、また、上記特開平３ー１９０６９６号公報に開示された穿孔装置のように用紙をパンチ処理部に一時停止させるために搬送ローラを一時停止するには、電磁クラッチ等のクラッチ機構が必要となる。
【０００５】
本発明は、上記の点に鑑みてなされたもので、その技術的課題は、搬送される用紙をパンチ処理部に一時停止させるストッパを作動するための電磁ソレノイド等の駆動手段や搬送ローラにクラッチ機構を設けることなく、用紙をパンチ処理部に一時停止させることができる用紙穿孔装置を提供することにある。
【０００６】
【課題を解決するための手段】
上記技術的課題を達成するために、本発明によれば、用紙搬送路に配設され該用紙搬送路を通過する用紙に複数個の穴を穿設する用紙穿孔装置であって、
該用紙搬送路の上側に用紙搬送方向に直交して配設され下端に形成されたパンチ刃が該用紙搬送路の下側に位置するパンチ位置と該用紙搬送路の上側に退避する退避位置との間を作動可能に構成された複数個のパンチと、該複数個のパンチの各々を作動する複数個の押圧機構と、該複数個のパンチの用紙搬送方向下流側において該用紙搬送路に突出するストップ位置と該用紙搬送路から退避する退避位置の間を作動可能に配設された用紙ストッパと、該複数個の押圧機構の配列方向に沿って配設されたカム軸と、該カム軸に装着され該押圧機構を作動せしめる複数個の押圧カムと、該カム軸に装着され該用紙ストッパを作動せしめるストッパ作動カムと、該カム軸を回転駆動するカム駆動手段と、を具備している、
ことを特徴とする用紙穿孔装置が提供される。
【０００７】
上記押圧カムおよびストッパ作動カムは上記押圧機構と用紙ストッパを各々退避位置に位置付ける位相位置が一致し、ストッパ作動カムは所定の角度位置において用紙ストッパを上記ストップ位置に位置付けるとともに、少なくとも押圧カムが上記パンチを上記パンチ位置に位置付けるまで用紙ストッパをストップ位置に位置付た状態を維持するように構成されている。
【０００８】
【発明の実施の形態】
以下、本発明に従って構成された用紙穿孔装置の好適な実施の形態を示している添付図面を参照して、更に詳細に説明する。
【０００９】
図１には画像形成機としての静電複写機２と、該静電複写機２に連結して配置され本発明に従って構成された用紙穿孔装置を備えた後処理装置４が示されている。
図示の静電複写機２は、直方体状の機体ハウジング５を具備している。この機体ハウジング５の上面には、複写すべき原稿が載置される静止透明板６が配設されている。静止透明板６の上側には自動原稿搬送装置７が配設されている。この自動原稿搬送装置７は、複写すべき原稿を載置する原稿載置部と、該原稿載置部に載置された原稿を上記静止透明板６の所定位置に搬送する原稿搬送ベルト機構等を有する原稿搬送部を具備している。
【００１０】
上記機体ハウジング５内の略中央部には、図１に示すように感光体ドラム８が回転自在に配設されている。この感光体ドラム８は、図示しない駆動手段によって矢印で示す方向に回転駆動される。該感光体ドラム８の周囲には、矢印で示す回転方向に見て順次に、帯電用コロナ放電器９、現像装置１０、転写用コロナ放電器１１、剥離用コロナ放電器１２、クリーニングユニット１３および除電ランプ１４が配設されている。図示の静電複写機は、上記感光体ドラム８の上方に配設された照射ランプ１５、第１のミラー１６、第２のミラー１７、第３のミラー１８、レンズ１９、第４のミラー２０からなる光学系を具備している。この光学系は、照射ランプ１５によって上記静止透明板６上に位置付けられた原稿に照射し、その反射光像を第１のミラー１６、第２のミラー１７、第３のミラー１８、レンズ１９および第４のミラー２０を介して上記感光体ドラム８の外周面上に結像するように構成されている。
【００１１】
図示の静電複写機２は、上記転写用コロナ放電器１１と感光体ドラム８との間の転写域に用紙を供給するための用紙供給装置２２を備えている。該用紙供給装置２２は、転写する用紙を収納する用紙カセット２３および２４、用紙送出ローラ２５および２６、捌きローラ対２７および２８、案内路２９、搬送ローラ対３０および３１、レジストローラ対３２を具備している。このように構成された転写紙供給装置２２の上記各ローラ対は、図示しない駆動手段によって各々矢印で示す方向に回転駆動せしめられる。
【００１２】
上記転写域の転写紙送出側には転写紙搬送ベルト機構３３、定着ローラ対３４０を有する定着装置３４および排出ローラ対３５が配設されており、これら搬送ベルト機構および各ローラは図示しない駆動手段によって各々矢印で示す方向に駆動せしめられる。
【００１３】
以上のように構成された静電複写機２は、感光体ドラム８が矢印で示す方向に回転駆動せしめられる間に、帯電用コロナ放電器９が感光体ドラム８上の感光体を特定極性に実質上均一に帯電し、次いで、照射ランプ１５によって静止透明板６上に位置付けられた原稿に照射し、その反射光像が第１のミラー１６、第２のミラー１７、第３のミラー１８、レンズ１９および第４のミラー２０を介して前記感光体ドラム８上に走査露光され、感光体ドラム６上に静電潜像が形成される。しかる後、感光体ドラム８上の静電潜像が現像装置１０によってトナー像に現像される。一方、用紙供給装置２２の用紙カセット２３または２４に収納された用紙が送出ローラ２５または２６から捌きローラ対２７または２８を通して案内路２９に送り出され、レジストローラ対３２で一端停止し、上記感光体ドラム８に形成されるトナー像と同期して転写域に搬送される。転写域に搬送された用紙は、トナー像が形成された感光体ドラム８と転写用コロナ放電器１１の間を通過することによってトナー像が転写される。そして、トナー像が転写された用紙は、剥離用コロナ放電器１２の作用によって感光体ドラム８から剥離され、転写紙搬送ベルト機構３３によって定着装置３４に搬送され、ここで加熱定着されて、排出ローラ対３５により排出口３６を通して排出される。また、上述のようにして転写工程が終了した感光体ドラム８は、クリーニングユニット１３によってその外周面に付着しているトナーが除去され、更に、除電ランプ１４によって感光体表面に除電光が照射され、除電される。
【００１４】
後処理装置４は、装置ハウジング４０を具備している。装置ハウジング４０には、上記複写機本体２側の一端に上記排出口３６と対向する位置に用紙搬入口４０１が設けられており、この用紙搬入口４０１から延びる第１の用紙搬送路４１が配設されている。第１の用紙搬送路４１における用紙搬入口４０１側の搬入部は、上記排出口３６側が上下に開いて形成された一対の案内板４１１、４１２によって構成されている。また、第１の用紙搬送路４１の中間部には駆動ローラ４２１と従動ローラ４２２とからなる搬送ローラ対４２が配設されており、第１の用紙搬送路４１の排出側端部には駆動ローラ４３１と従動ローラ４３２とからなる排出ローラ対４３が配設されている。この搬送ローラ対４２の駆動ローラ４２１および排出排出ローラ対４３の駆動ローラ４３１は、図示しない駆動機構を介して駆動源としての電動モータ４４（Ｍ１）に伝動連結され、矢印で示す方向に回転駆動せしめられる。なお、第１の用紙搬送路４１の中間部から第２の用紙搬送路４５が接続して形成されており、この第２の用紙搬送路４５は後処理装置としての例えば図示しないステイプル処理部に延びている。第１の用紙搬送路４１と第２の用紙搬送路４５との分岐部には分岐爪４６が配設されており、この分岐爪４６は電磁ソレノイド４７（ＳＯＬ１）によって図１において実線で示す第１の位置と、図１において破線で示す第２の位置とに作動せしめられるようになっている。電磁ソレノイド４７（ＳＯＬ１）が除勢されているときは、分岐爪４６が図１において実線で示す第１の位置に位置付けられ、上記用紙搬入口４０１から搬入された用紙は第１の用紙搬送路４１を通って排出ローラ対４３に向けて搬送される。また、電磁ソレノイド４７（ＳＯＬ１）が付勢されると、分岐爪４５が図１において破線で示す第２の位置に位置付けられ、上記用紙搬入口４０１から搬入された用紙は第１の用紙搬送路４１の分岐部から第２の用紙搬送路４５に向けて搬送される。上記第１の用紙搬送路４１における上記一対の案内板４１１、４１２と第２の用紙搬送路４５の分岐部との間には、用紙穿孔装置５０が配設されている。この用紙穿孔装置５０については、後に詳細に説明する。なお、ハウジング４０の排出側（図１において左側）には、その上部にノンソート用トレイ４８が配設されており、また、ノンソート用トレイ４８の下方にソート用トレイ４９が上下方向に移動可能に配設されている。
【００１５】
次に、上記用紙穿孔装置５０について、図２乃至図１２をも参照して詳細に説明する。
用紙穿孔装置５０は、用紙案内手段６０と、パンチユニット７０と、カム駆動手段８０とを具備している。
用紙案内手段６０は、主に図４に示すように上案内板６１と下案内板６２とからなっており、上案内板６１の上流側端部が上方に傾斜して形成され上記案内板４１１に接続され、また下案内板６２の下流側端部が下方に傾斜して形成されている。上案内板６１には、用紙搬送方向（図１において紙面に垂直な方向）直交して後述するパンチの数に対応する複数個の通孔６１１（図示の実施形態においては５個）が所定のパンチ処理部に設けられている。また、下案内板６２には、上案内板６１に設けられた複数個の通孔６１１と対応する位置に複数個のパンチ孔６２１（図示の実施形態においては５個）が所定のパンチ処理部に設けられており、従って、パンチ孔６２１を備えた下案内板６２はパンチダイとして機能する。図示の実施形態においては、用紙案内手段６０と上記一対の案内板４１１、４１２との間には、用紙検出器６７（ＳＷ１）が配設されている。この用紙検出器６７（ＳＷ１）は、複写機本体２から用紙搬入口４０１を通して後処理装置４内に搬入された用紙を検出して、その検出信号を後述する制御手段に送出する。
【００１６】
上記パンチユニット７０は、複数個（図示の実施形態においては５個）のパンチガイド７１と、該複数個のパンチガイド７１に各々上下方向に摺動可能に配設された複数個（図示の実施形態においては５個）のパンチ７２（７２ー１、７２ー２、７２ー３、７２ー４、７２ー５）と、該複数個のパンチ７２を作動する押圧機構７３（７３ー１、７３ー２、７３ー３、７３ー４、７２ー５）と、該各押圧機構７３を支持する切り換え軸７４と、該切り換え軸７４を軸方向に作動する切り換え軸作動機構７５とを具備している。複数個のパンチガイド７１は、各々上記パンチ７２の外径に対応する貫通孔７１１を備えた円筒部材からなり、上記上案内板６１に複数個の通孔６１１と対応する位置に配設され、その下端に設けられた取付けフランジ７１２が上記上案内板６１にビス７１５に、７１５によって固定されている。この複数個のパンチガイド７１は、切り換え軸７４の軸線方向両側に各々長穴７１３を備えている。このように構成された複数個のパンチガイド７１は、第１の用紙搬送路４１の用紙搬送方向と直交する方向（図１および図４において紙面に垂直な方向）に配設されている。
【００１７】
上記パンチ７２は、その下端にパンチ刃７２１を備え、その中間部に径方向に貫通する孔７２２を備えている。このように構成されたパンチ刃７２１は、複数個のパンチガイド７１に形成された貫通孔７１１に各々上下方向に摺動可能に嵌合される。なお、各パンチ７２ー１、７２ー２、７２ー３、７２ー４、７２ー５は、図２および図３に示すように７２ー１と７２ー３と７２ー５が３穴用のパンチ処理部に夫々配設され、７２ー２と７２ー４が２穴用のパンチ処理部に配設されている。
【００１８】
上記押圧機構７３は、水平部をなす押圧部７３１と該押圧部７３１の両側から下方に折り曲げて形成された支持部７３２、７３３とからなる押圧部材７３０と、該支持部７３２、７３３間に配設された押圧ピン７３４とによって構成されている。押圧部材７３０は、支持部７３２、７３３の一端部が切り換え軸７４に回動可能でかつ軸方向への移動が規制された状態で支持されている。なお、押圧部材７３０は、支持部７３２に設けられたばね係止部７３２ａと上記上案内板６１との間に張設されたコイルばね７３５によって、切り換え軸７４を中心として図４において時計方向に回動すべく付勢されている。押圧ピン７３４は、上記パンチガイド７１に形成された長穴７１２およびパンチ７２に設けられた孔７２２を挿通し、その両端部が支持部７３２、７３３に支持されている。
【００１９】
上記切り換え軸７４は、丸棒材からなり上記複数個の押圧機構７３の配列方向に沿って配設され、その両端部が上記上案内板６１にビス７６１およびビス７７１によって装着された手前側側板７６および奥側側板７７に軸受７４１および７４２を介して軸方向に摺動可能に支持されている。図示の実施形態においては、切り換え軸７４に装着された奥側の押圧機構７２ー５の押圧部材７３０と奥側側板７７との間に圧縮コイルばね７４０が配設されており、切り換え軸７４は圧縮コイルばね７４０のばね力によって手前側（図２および図３において下方）に向けて付勢されている。この切り換え軸７４を軸方向に作動する切り換え軸作動機構７５は、電磁ソレノイド７５０（ＳＯＬ２）と、中間部が上記上案内板６１に支持軸７５３によって回動可能に支持されたレバー７５２とからなっており、レバー７５２の一端が電磁ソレノイド７５０（ＳＯＬ２）のプランジャ７５１に連結され、レバー７５２の他端が上記切り換え軸７４の手前側端部（図２および図３において下端部）に連結されている。電磁ソレノイド７５０（ＳＯＬ２）が除勢されているときには、図２に示すようにプランジャ７５１が突出した状態にあり、レバー７５２および切り換え軸７４は上記圧縮コイルばね７４０のばね力によって図２に示す第１の位置に位置付けられている。また、電磁ソレノイド７５０（ＳＯＬ２）が付勢されると、図３に示すようにプランジャ７５１が吸引され、レバー７５２が図において反時計方向に回動して切り換え軸７４を上記圧縮コイルばね７４０のばね力に抗して図３に示す第２の位置に位置付ける。このように上記切り換え軸７４および切り換え軸作動機構７５は、上記複数個の押圧機構７３をその配列方向に作動し、上記第１の位置と第２の位置に選択的に位置付ける押圧機構位置付け手段を構成している。
【００２０】
図示の実施形態においては、上記用紙案内手段６０を構成する上案内板６１の上面に２個の用紙ストッパ９０、９０が配設されている。２個の用紙ストッパ９０、９０は、図２および図３に示すように上記パンチ７２ー１と７２ー２との間とパンチ７２ー４と７２ー５との間に配設されている。この用紙ストッパ９０について、図５および図６をも参照して説明する。用紙ストッパ９０は、平板状の用紙ストップ部９０１と、軸挿通穴を備えた被支持部９０２と、用紙ストップ部９０１と被支持部９０２とを連結する連結部９０３とからなっており、適宜の合成樹脂によって一体成形されている。このように構成された用紙ストッパ９０は、上案内板６１の上面に装着された支持ブラケット９２に支持される。支持ブラケット９２は取付け部９２１と該取付け部９２１の両側から垂直に折り曲げ形成された支持部９２２、９２３とならなっており、取付け部９２１が上案内板６１にビス９３によって固定されている。支持ブラケット９２の支持部９２２と９２３間には、上記用紙ストッパ９０の被支持部９０２に設けられた軸挿通穴に挿通した支持軸９４が配設される。従って、用紙ストッパ９０は、支持軸９４を中心として揺動可能に支持される。このようにして、揺動可能に支持された用紙ストッパ９０の連結部９０３の下面と上案内板６１の上面との間には、圧縮コイルばね９５が配設されており、従って、用紙ストッパ９０は支持軸９４を中心として図９において時計方向に回動すべく付勢されている。このように構成された用紙ストッパ９０は、後述するストッパ作動カム９６によって図５において実線で示すストップ位置と２点鎖線で示す退避位置の間を作動せしめられるようになっている。なお、用紙ストッパ９０が図５において実線で示すストップ位置に作動されるときは、用紙ストップ部９０１の下端部が上記複数個のパンチ７２の用紙搬送方向下流側（図２および図３に左方）において上案内板６１に形成された開口６１２を通して下案内板６２の上面より下方に位置付けられる。なお、図示の実施形態においては、支持ブラケット９２の支持部９２２と９２３には、上記切り換え軸７４が挿通する穴９２２ａと９２３ａが夫々設けられている。
【００２１】
次に、上記カム駆動手段８０について説明する。
カム駆動手段８０は、上記複数個の押圧機構７３に沿って（上記切り換え軸７４と平行）上記押圧機構７３を構成する押圧部７３１の上側に配設されたカム軸８１と、該カム軸８１の所定位置に装着された複数個（図示の実施形態においては４個）の押圧カム８２（８２ー１、８２ー２、８２ー３、８２ー４）とを具備している。押圧カム８２は、適宜の合成樹脂によって形成され外周面がカム面として機能するように構成されており、その一部が平面部８２１に形成されている。図示の実施形態においては、カム軸８１には押圧カム８２に隣接して案内スリーブ８２０が装着されている。この案内スリーブ８２０は適宜の合成樹脂によって形成され、その外周面の半径は上記押圧カム８２における最も短い半径部に相当する長さに形成されている。従って、押圧カム８２が押圧部材７３０の押圧部７３１と対向していない場合には、案内スリーブ８２０が押圧部７３１と対向する位置に位置する。このため、押圧カム８２における最も短い半径部が下方即ち押圧部材７３０側に位置する状態で上記複数個の押圧機構７３の位置を切り換えることにより、押圧機構７３の上記第１の位置と第２の位置との変更が容易となる。なお、押圧カム８２と案内スリーブ８２０は一体成形してもよい。
【００２２】
図示の実施形態においては、カム軸８１には上記２個の用紙ストッパ９０を各々作動するための２個のストッパ作動カム９６が装着されている。ストッパ作動カム９６は、適宜の合成樹脂によって形成され外周面がカム面として機能するように構成されている。ストッパ作動カム９６の外周面は、図５に示すように略２７０度の角度範囲に渡って同一半径に形成された第１の部分９６１と、該第１の部分９６１の回転方向上流側に形成された半径が小さい第２の部分９６２と、第１の部分９６１と第２の部分９６２を滑らかな曲線で接続する第３の部分９６３とを備えている。このように構成されたストッパ作動カム９６と上記押圧カム８２とは、上記押圧カム８２の平面部８２１が上記押圧部材７３０と接触しているとき、ストッパ作動カム９６の第２の部分９６２が上記用紙ストッパ９０の用紙ストップ部９０１上端と接触する位相関係に構成されている。
【００２３】
上記カム軸８１は、両端部が上記手前側側板７６および奥側側板７７に軸受８１１および８１２を介して回転自在に軸支されており、その奥側端部には駆動歯車７８が回転自在に装着されている。この駆動歯車７８は、図示しない駆動機構を介して上記電動モータ４４（Ｍ１）に伝動連結されている。また、図示の実施形態においては、カム軸８１における上記駆動歯車７８の手前側（図２および図３において下側）には、駆動歯車７８の駆動力をカム軸８１に伝達するためのばねクラッチ８３が装着されている。
【００２４】
上記ばねクラッチ８３は、上記駆動歯車７８と一体に形成された第１のボス部材８３１と、該第１のボス部材８３１と対向して配設されカム軸８１と一体的に回転するように構成された第２のボス部材８３２と、該第１のボス部材８３１と第２のボス部材８３２に跨がって被嵌されたコイルばね８３３と、該コイルばね８３３を被嵌して配設された回転制御部材８３４とを具備している。上記第１のボス部材８３１は、駆動歯車７８の内周面に装着され第２のボス部材８３２側に突出して形成されている。上記第２のボス部材８３２は、第１のボス部材８３１の外径と同一の外径を有するボス部８３２ａと、該ボス部８３２ａの手前側端部（図２および図３において下端部）に形成されたフランジ部８３２ｂとからなっており、該フランジ部８３２ｂの側面に形成された溝に上記カム軸８１を貫通して配設されたピン部材８３２ｃを係合することによって、カム軸８１と一体的に回転するように構成される。上記コイルばね８３３は、その一端が上記第２のボス８３２部材のフランジ部８３２ｂに形成された溝に係合し、その他端が回転制御部材８３４に形成された溝に係合されている。上記回転制御部材８３４は、図７に示すように中空スリーブ部材からなる本体８３４ａと、該本体８３４ａの外周に設けられた第１の係止爪８３４ｂと、該第１の係止爪８３４ｂと略９０度の位相角をもって本体８３４ａの外周に配設された第２の係止爪８３４ｅとからなっている。第１の係止爪８３４ｂは、外周面から所定の隙間を設けて配設された係止部８３４ｃと該係止部８３４ｃの奥側端部と本体８３４ａとを連結する支持部８３４ｄとからなっている。第２の係止爪８３４ｅは、第１の係止爪８３４ｂの係止部８３４ｃの高さより低く形成されている。このように構成されたばねクラッチ８３は、第１の係止爪８３４ｂまたは第２の係止爪８３４ｅに後述するフラッパー型ソレノイド８４（ＳＯＬ３）のフラッパーが係合して回転制御部材８３４の回動が規制されると、上記コイルばね８３３は上記駆動歯車７８と一体の第１のボス部材８３１の回転によって拡張するため、駆動歯車７８および第１のボス部材８３１がカム軸８１上を空転し、カム軸８１には駆動力が伝達されない。一方、第１の係止爪８３４ｂまたは第２の係止爪８３４ｅのいずれにも後述するフラッパー型ソレノイド８４（ＳＯＬ３）のフラッパーが係合しないと、回転制御部材８３４の回動が許容されるため、コイルばね８３３が収縮して第１のボス部材８３１と第２のボス部材８３２の外周面に密着して第１のボス部材８３１と第２のボス部材８３２がコイルばね８３３を介して接続される。従って、駆動歯車７８に伝達された駆動力は、第１のボス部材８３１とコイルばね８３３および第２のボス部材８３２を介してカム軸８１に伝達される。
【００２５】
次に、上記ばねクラッチ８３を制御するフラッパー型ソレノイド８４（ＳＯＬ３）について、図８および図９をも参照して説明する。
フラッパー型ソレノイド８４（ＳＯＬ３）は、上記奥側側板７７にビス等の固定手段によって取り付けられたブラケット８４１と、該ブラケット８４１に装着されたソレノイド８４２と、該ソレノイド８４２の上側に配設されその一端部（図８および図９において右端部）がブラケット８４１に支持部８４１ａを支点として揺動可能に支持されたフラッパー８４３と、該フラッパー８４３の一端（図８および図９において右端）に設けられたばね取付け部８４３ａとブラケット８４１との間に張設されたコイルばね８４４とを具備している。フラッパー８４３の他端部（図８および図９において左端部）には、図９に示すように上記回転制御部材８３４に設けられた第１の係止爪８３４ｂおよび第２の係止爪８３４ｅと係合するための係合部８４３ｂを備えている。この係合部８４３ｂは第１の係止爪８３４ｂ側に突出して形成されており、第１の係止爪８３４ｂの係止部８３４ｃと係合するとともに、第２の係止爪８３４ｅと係合するように構成されている。このように構成されたフラッパー型ソレノイド８４（ＳＯＬ３）は、ソレノイド８４２が除勢されているときには、フラッパー８４３が図８において実線で示すようにコイルばね８４４によって支持部８４１ａを支点として時計方向に揺動すべく付勢されている。この状態では、フラッパー８４３の係合部８４３ｂは上記第１の係止爪８３４ｂの係止部８３４ｃと係合する位置に位置付けられる。一方、フラッパー型ソレノイド８４（ＳＯＬ３）のソレノイド８４２が付勢されると、フラッパー８４３は図８において２点鎖線で示すようにソレノイド８４２の吸引力によってコイルばね８４４のばね力に抗して吸引される。この状態では、フラッパー８４３の係合部８４３ｂは、第１の係止爪８３４ｂの係止部８３４ｃと本体８３４ａの外周面との隙間の位置に位置付けられ、従って、第１の係止爪８３４ｂとは係合しないが、第２の係止爪８３４ｅとは係合するようになっている。
【００２６】
以上のように構成された用紙穿孔装置５０においては、上記カム軸８１に装着された４個の押圧カム８２ー１、８２ー２、８２ー３、８２ー４は、上記切り換え軸７４が図２の第１の位置に位置付けられているときには上記押圧機構７３ー１が押圧カム８２ー１と押圧機構７３ー３が押圧カム８２ー２と押圧機構７３ー５が押圧カム８２ー４と夫々対応し、切り換え軸７４が図３の第２の位置に位置付けられると上記押圧機構７３ー２がカム８２ー２と押圧機構７３ー４がカム８２ー３と夫々対応する位置に配設されている。
【００２７】
次に、上記フラッパー型ソレノイド８４（ＳＯＬ３）とばねクラッチ８３を構成する回転制御部材８３４との関係と、上記用紙ストッパ９０とストッパ作動カム９６との関係、および上記パンチユニット７０とパンチユニットの押圧カム８２との関係について、図１０、図１１および図１２を参照して説明する。
図１０の（ａ）は、フラッパー型ソレノイド８４（ＳＯＬ３）が除勢されており、フラッパー８４３の係合部８４３ｂが回転制御部材８３４の第１の係止爪８３４ｂの係止部８３４ｃと係合ている状態である。この状態では、ばねクラッチ８３は回転制御部材８３４の回動が規制されるため、ばねクラッチ８３による動力伝達が遮断されカム軸８１の回転は停止している。このとき、上記ストッパ作動カム９６は、図１１の（ａ）に示すように第２の部分９６２が上記用紙ストッパ９０の用紙ストップ部９０１上端と接触し、用紙ストッパ９０を退避位置に位置付けている。一方、上記押圧カム８２は、図１２の（ａ）に示すようにその平面部８２１が上記押圧部材７３０と接触しており、押圧機構７３が上記パンチ７２のパンチ刃７２１を用紙搬送路の上側（上案内板６１の下面より上側）の退避位置に位置付けている。
【００２８】
上記図１０の（ａ）の状態からフラッパー型ソレノイド８４（ＳＯＬ３）が付勢されると、フラッパー８４３は下方に吸引され係合部８４３ｂが第１の係止爪８３４ｂの係止部８３４ｃと本体８３４ａの外周面との隙間の位置に位置付けられるため、回転制御部材８３４の回動が許容されて上述のように駆動歯車７８に伝達された駆動力がばねクラッチ８３を介してカム軸８１に伝達される。このため、図１０の（ｂ）に示すように回転制御部材８３４も第２の係止爪８３４ｅがフラッパー８４３の係合部８４３ｂに当接するまで矢印で示す方向に略９０度回転する。回転制御部材８３４の第２の係止爪８３４ｅがフラッパー８４３の係合部８４３ｂに当接するすると、回転制御部材８３４の回動が規制されるため、ばねクラッチ８３による動力伝達が遮断されカム軸８１の回転は停止する。このとき、上記ストッパ作動カム９６は、図１１の（ｂ）に示すように矢印で示す方向に略９０度回転して第１の部分９６１が上記用紙ストッパ９０の用紙ストップ部９０１上端と接触し、用紙ストッパ９０をその下端部が上案内板６１に形成された開口６１２を通して下案内板６２の上面より下方のストップ位置に位置付ける。従って、用紙ストッパ９０は、上案内板６１と下案内板６２との間に搬送される用紙Ｐの前端を当接して用紙Ｐを一時停止する。一方、上記押圧カム８２は、図１２の（ａ）の状態から矢印で示す方向に略９０度回転した図１２の（ｂ）に示す状態となる。この状態では、押圧機構７３によって作動されるパンチ７２はまだ上方の退避位置に位置付けられている。
【００２９】
上記図１０の（ｂ）の状態からフラッパー型ソレノイド８４（ＳＯＬ３）が除勢されると、フラッパー８４３が図１０の（ｃ）の状態、即ち、フラッパー８４３の係合部８４３ｂが上方に位置付けられて回転制御部材８３４の第２の係止爪８３４ｅとの係合が外れた状態となる。従って、回転制御部材８３４の回動が許容されて上述のように駆動歯車７８に伝達された駆動力がばねクラッチ８３を介してカム軸８１に伝達される。このとき、上記ストッパ作動カム９６は、図１１の（ｃ）に示すように第１の部分９６１が上記用紙ストッパ９０の用紙ストップ部９０１上端と接触し続けて、用紙ストッパ９０をストップ位置に維持する。一方、上記押圧カム８２は、図１２の（ｂ）に示す状態から矢印で示す方向に略１２０度回転した図１２の（ｃ）に示す状態で、パンチ７２は最下位のパンチ位置に達する。この状態では、押圧機構７３によって作動されるパンチ７２は、その下端のパンチ刃７２１が上案内板６１に設けられた通孔６１１および下案内板６２に設けられたパンチ孔６２１を挿通して下案内板６２の下方に達する。この間に上案内板６１と下案内板６２との間に搬送されている用紙Ｐに、２穴または３穴が穿設される。
【００３０】
図１２の（ｃ）に示す状態からカム軸８１即ちカム８２が矢印方向に更に回転すると、押圧機構７３によって作動されるパンチ７２は上昇して上案内板６１の上方に達する。また、用紙ストッパ９０もストッパ作動カム９６の第３の部分９６３に接触することにより、徐々に上方に作動せしめられる。なお、ストッパ作動カム９６の第１の部分９６１は、少なくとも押圧カム８２がパンチ７２を上記パンチ位置に位置付けるまで用紙ストッパ９０をストップ位置に維持する角度範囲に形成されている。そして、カム軸８１が図１０の（ｂ）１図１１の（ｂ）および図１２の（ｂ）の状態から矢印で示す方向に２７０度（図１０の（ａ）、図１１の（ａ）および図１２の（ａ）状態から１回転）回転すると、図１０の（ａ）に示すようにフラッパー型ソレノイド８４（ＳＯＬ３）のフラッパー８４３の係合部８４３ｂに回転制御部材８３４の第１の係止爪８３４ｂの係止部８３４ｃが当接して回転制御部材８３４の回動を規制する。従って、ばねクラッチ８３による動力伝達が遮断されカム軸８１の回転は停止する。このとき、上記ストッパ作動カム９６は、図１１の（ａ）に示すように第２の部分９６２が上記用紙ストッパ９０の用紙ストップ部９０１上端と接触し、用紙ストッパ９０を退避位置に位置付ける。一方、押圧カム８２も、図１２の（ａ）に示すようにその平面部８２１が上記押圧部材７３０と接触して、パンチ７２を退避位置に位置付ける。
【００３１】
図示の用紙穿孔装置５０を備えた後処理装置４は、図１３に示す制御手段１００を具備している。制御手段１００は、マイクロコンピュータによって構成されており、制御プログラムに従って演算処理する中央処理装置（ＣＰＵ）１０１と、制御プログラムを格納するリードオンリメモリ（ＲＯＭ）１０２と、演算結果等を格納する読み書き可能なランダムアクセスメモリ（ＲＡＭ）１０３と、タイマ１０４（Ｔ）と、カウンタ１０５と、入力インターフェース１０６および出力インターフェース１０７とを備えている。このように構成された制御手段１００の入力インターフェース１０６には、上記用紙検出器６７（ＳＷ１）等からの検出信号が入力され、出力インターフェース１０７から上記電動モータ４４（Ｍ１）、電磁ソレノイド４７（ＳＯＬ１）、電磁ソレノイド７５０（ＳＯＬ２）、フラッパー型ソレノイド８４（ＳＯＬ３）等に制御信号を出力する。また、制御手段１００は、複写機本体２の制御手段２００と接続されており、両者間においても制御信号のやり取りが行われる。複写機本体２の制御手段２００には、複写機本体２の操作パネルに配設された複写開始キー２０１（ＳＷ２）、２穴パンチキー２０２（ＳＷ３）、３穴パンチキー２０３（ＳＷ４）、ステイプルキー２０４（ＳＷ５）等から複写情報が入力される。
【００３２】
図示の実施形態による用紙穿孔装置を備えた後処理装置は以上のように構成されており、以下穿孔処理の作動について図１４に示すフローチャートをも参照して説明する。
【００３３】
制御手段１００は作動を開始すると、先ず、複写機本体２の制御手段２００から２穴パンチキー２０２（ＳＷ３）が押されて２穴パンチ処理が指定された否かをチェックし（ステップＳ１）、２穴パンチ処理が指定されている場合はステップステップＳ２に移行し、２穴パンチ処理が指定されていない場合はステップステップＳ３に移行する。ステップＳ１において２穴パンチ処理が指定されている場合は、制御手段１００はステップステップＳ２に進んで、上記切り換え軸７４を作動する切り換え軸作動機構を構成する電磁ソレノイド７５０（ＳＯＬ２）を付勢する。電磁ソレノイド７５０（ＳＯＬ２）が付勢されることにより、上述したように切り換え軸７４が図３に示す第２の位置に位置付けられ、該切り換え軸７４に装着された押圧機構７３ー２が押圧カム８２ー２と押圧機構７３ー４が押圧カム８２ー３と夫々対応する位置に位置付けられる。一方、ステップＳ１において２穴パンチ処理が指定されていない場合は、制御手段１００はステップステップＳ３に進んで、複写機本体２の制御手段２００から３穴パンチキー２０３（ＳＷ４）が押されて３穴パンチ処理が指定された否かをチェックする。ステップＳ３において３穴パンチ処理が指定されていない場合は、制御手段１００はパンチ処理が指定されていないものと判断して、スタートに戻る。ステップＳ３において３穴パンチ処理が指定されている場合は、制御手段１００はステップＳ４に進んで、上記切り換え軸７４を作動する電磁ソレノイド７５０（ＳＯＬ２）を除勢状態に維持する。電磁ソレノイド７５０（ＳＯＬ２）が除勢されている状態では、上記切り換え軸７４が図２の第１の位置に位置付けられ、該切り換え軸７４に装着された押圧機構７３ー１がカム押圧８２ー１と押圧機構７３ー３が押圧カム８２ー２と押圧機構７３ー５が押圧カム８２ー４と夫々対応する位置に位置付けられる。このように押圧機構７３が２穴パンチ処理状態または３穴パンチ処理にセットされたときには、フラッパー型ソレノイド８４（ＳＯＬ３）と回転制御部材８３４とが図１０の（ａ）に示す状態となる。即ち、フラッパー型ソレノイド８４（ＳＯＬ３）は除勢されており、フラッパー８４３は係合部８４３ｂが第１の係止爪８３４ｂの係止部８３４ｃと係合する位置に位置付けられる。このとき、上記ストッパ作動カム９６は、図１１の（ａ）に示すように第２の部分９６２が上記用紙ストッパ９０の用紙ストップ部９０１上端と接触し、用紙ストッパ９０を退避位置に位置付けている。また、カム軸８１が装着されたカム８２と押圧機構７３とは、図１２の（ａ）に示す状態となる。即ち、カム８２の平面部８２１が押圧機構７３を構成する押圧部材７３０の押圧部７３１に当接している。従って、押圧機構７３によって作動されるパンチ７２は退避位置に位置付けられている。なお、今回の実施例においては、電磁ソレノイド４７（ＳＯＬ１）は除勢されており、分岐爪４６が図１において実線で示す第１の位置に位置付けられているものとする。
【００３４】
上記のようにして、押圧機構７３が２穴パンチ処理状態または３穴パンチ処理にセットされたならば、制御手段１００はステップＳ５に進んで、用紙検出器６７（ＳＷ１）がＯＮしたか否かをチェックする。即ち、複写機本体２で画像形成され用紙搬入口４０１を通して後処理装置４内に搬入された用紙の前端が用紙検出器６７（ＳＷ１）に達したか否かをチェックする。ステップＳ５において用紙検出器６７（ＳＷ１）がＯＮしなければ待ち、用紙検出器６７（ＳＷ１）がＯＮしたならば用紙の前端が用紙検出器６７（ＳＷ１）に達したものと判断して、制御手段１００はステップＳ６に進んで、上記電動モータ４３（Ｍ１）を駆動するとともに、フラッパー型ソレノイド８４（ＳＯＬ３）を付勢する。フラッパー型ソレノイド８４（ＳＯＬ３）が付勢されると、図１０の（ａ）の状態からフラッパー８４３は下方に吸引され係合部８４３ｂが第１の係止爪８３４ｂの係止部８３４ｃと本体８３４ａの外周面との隙間の位置に位置付けられるため、回転制御部材８３４の回動が許容されて上述のように駆動歯車７８に伝達された駆動力がばねクラッチ８３を介してカム軸８１に伝達される。このため、図１０の（ｂ）に示すように回転制御部材８３４も第２の係止爪８３４ｅがフラッパー８４３の係合部８４３ｂに当接するまで略９０度回転する。回転制御部材８３４の第２の係止爪８３４ｅがフラッパー８４３の係合部８４３ｂに当接するすると、回転制御部材８３４の回動が規制されるため、ばねクラッチ８３による動力伝達が遮断されカム軸８１の回転は停止する。このとき、上記ストッパ作動カム９６は、図１１の（ｂ）に示すように第１の部分９６１が上記用紙ストッパ９０の用紙ストップ部９０１上端と接触し、用紙ストッパ９０をその下端部が上案内板６１に形成された開口６１２を通して下案内板６２の上面より下方のストップ位置に位置付ける。従って、用紙ストッパ９０は、上案内板６１と下案内板６２との間に搬送される用紙Ｐの前端を当接して用紙Ｐを一時停止する。一方、上記押圧カム８２は、図１２の（ａ）の状態から矢印で示す方向に略９０度回転した図１２の（ｂ）に示す状態となる。この状態では、押圧機構７３によって作動されるパンチ７２はまだ上方の退避位置に位置付けられている。そして、ステップＳ６において制御手段１００はタイマ１０４（Ｔ）を所定セット時間Ｔ１にセットする。なお、この所定セット時間Ｔ１は、上記用紙検出器６７（ＳＷ１）を通過した用紙の前端がストップ位置に位置付けられた用紙ストッパ９０に当接するまでに要する時間で、例えば１５０μｓｅｃに設定されている。なお、用紙ストッパ９０の用紙ストップ部９０１に前端が当接しても用紙Ｐは複写機本体２の排出ローラ対３５によって送り出されているので、用紙案内手段６０を構成する上案内板６１および用紙搬入部に設けられた案内板４１１に案内され図１において１点鎖線で示すように湾曲せしめられ、所謂ループを形成する。
【００３５】
次に、制御手段１００はステップＳ７に進んで、用紙検出器６７（ＳＷ１）がＯＮしてからの経過時間ＴＳが上記セット時間Ｔ１に達したか否かチェックし、経過時間ＴＳが上記セット時間Ｔ１に達していなければ待ち、経過時間ＴＳが上記セット時間Ｔ１に達したならば、用紙の前端が用紙ストッパーの用紙ストップ部９０１に当接したものと判断して、ステップＳ８に進みフラッパー型ソレノイド８４（ＳＯＬ３）を除勢する。フラッパー型ソレノイド８４（ＳＯＬ３）が除勢されると、フラッパー８４３が図１０の（ｂ）状態から図１０の（ｃ）の状態、即ち、フラッパー８４３の係合部８４３ｂが上方に位置付けられて回転制御部材８３４の第２の係止爪８３４ｅとの係合が外れた状態となる。従って、回転制御部材８３４の回動が許容されて上述のように駆動歯車７８に伝達された駆動力がばねクラッチ８３を介してカム軸８１に伝達される。この結果、カム軸８１に装着された押圧カム８２も図１２の（ｂ）に示す状態から矢印で示す方向に回転し、図１２の（ｂ）に示す状態から略１２０度回転した図１２の（ｃ）に示す状態で、パンチ７２は最下位のパンチ位置に達する。この状態では、押圧機構７３によって作動されるパンチ７２は、その下端のパンチ刃７２１が上案内板６１に設けられた通孔６１１および下案内板６２に設けられたパンチ孔６２１を挿通して下案内板６２の下方に達する。この間に上案内板６１と下案内板６２との間に搬送されている用紙Ｐに、２穴または３穴が穿設される。このとき、上記ストッパ作動カム９６は、図１１の（ｃ）に示すように第１の部分９６１が上記用紙ストッパ９０の用紙ストップ部９０１上端と接触し続けて、用紙ストッパ９０をストップ位置に維持する。そして、図１１の（ｃ）に示す状態からカム軸８１即ちカム８２が矢印方向に更に回転すると、押圧機構７３によって作動されるパンチ７２は上昇して上案内板６１の上方に達する。一方、用紙ストッパ９０も図１１の（ｃ）に示す状態からストッパ作動カム９６が矢印方向に更に回転すると、第３の部分９６３に接触することにより、徐々に上方に作動せしめられる。そして、カム軸８１が図１０の（ｂ）、１１の（ｂ）および図１２の（ｂ）状態から２７０度（図１０の（ａ）、図１１の（ａ）および図１２の（ａ）の状態から１回転）回転すると、図１０の（ａ）に示すようにフラッパー型ソレノイド８４（ＳＯＬ３）のフラッパー８４３の係合部８４３ｂに回転制御部材８３４の第１の係止爪８３４ｂの係止部８３４ｃが当接して回転制御部材８３４の回動を規制する。従って、ばねクラッチ８３による動力伝達が遮断されカム軸８１の回転は停止する。このとき、上記ストッパ作動カム９６は、図１１の（ａ）に示すように第２の部分９６２が上記用紙ストッパ９０の用紙ストップ部９０１上端と接触し、用紙ストッパ９０を退避位置に位置付ける。一方、押圧カム８２も、図１２の（ａ）に示すようにその平面部８２１が上記押圧部材７３０と接触して、パンチ７２を退避位置に位置付ける。このようにして、用紙ストッパ９０およびパンチ７２が退避位置に位置付けられると、上記のようにして所謂ループが形成されていた用紙Ｐは、その弾性力によって下流側（図１において左方に押し出されて、その前端が搬送ローラ対４２に達する。従って、上記のようにしてパンチ処理された用紙は、搬送ローラ対４２により排出ローラ対４３に向けて搬送され、排出ローラ対４３によってノンソート用トレイ４８に排出される。そして、制御手段１００はステップＳ８においてフラッパー型ソレノイド８４（ＳＯＬ３）を除勢したら、タイマ１０４（Ｔ）を所定セット時間Ｔ２にセットする。なお、この所定セット時間Ｔ２は、複写機本体２で画像処理され後処理装置４に搬送される最後の用紙の穿孔動作が終了したか否かを判断するに要する時間で、例えば１ｓｅｃに設定されている。
【００３６】
次に、制御手段１００はステップＳ９に進んで、フラッパー型ソレノイド８４（ＳＯＬ３）を除勢してからの経過時間ＴＳが上記セット時間Ｔ２に達したか否かチェックする。制御手段１００は上記経過時間ＴＳが上記セット時間Ｔ２に達していなければステップＳ１３に進んで用紙検出器６７（ＳＷ１）がＯＮしたか否かをチェックし、用紙検出器６７（ＳＷ１）がＯＮしたならば次の用紙の前端が用紙検出器６７（ＳＷ１）に達したものと判断し上記ステップＳ６に戻って、ステップＳ６乃至ステップＳ１２を繰り返し実行する。一方、ステップＳ１２において用紙検出器６７（ＳＷ１）がＯＮしなければ、複写機本体２から次の用紙が搬送されてこないのでステップＳ９に戻って、ステップＳ９乃至ステップＳ１０を繰り返し実行する。そして、ステップＳ９乃至ステップＳ１０を繰り返し実行している間に、レジストローラ対６５を駆動してパンチ処理された用紙を排出ローラ対４２に向けて搬送してからの経過時間ＴＳが上記セット時間Ｔ２に達したならば、制御手段１００は複写機本体２で画像処理され後処理装置４に搬送される最後の用紙の穿孔動作が終了したものと判断して、ステップＳ１１に進んで上記切り換え軸７４を作動する電磁ソレノイド７５０（ＳＯＬ２）を除勢するとともに、上記電動モータ４３（Ｍ１）を停止して穿孔処理動作を終了する。
【００３７】
以上、本発明を図示の実施形態に基づいて説明したが、本発明は図示の実施形態のみに限定されるものではなく、例えば図示の実施形態においては、後処理装置に本発明を実施した例を示したが、本発明による用紙穿孔装置は画像形成機内に配設してもよい。
【００３８】
【発明の効果】
本発明による用紙穿孔装置は以上のように構成されているので、以下の作用効果を奏する。
【００３９】
即ち、本発明によれば、パンチを作動せしめる押圧機構を作動するための押圧カムと用紙ストッパを作動せしめるストッパ作動カムを同一のカム軸に装着したので、用紙ストッパを作動するための電磁ソレノイド等の駆動手段を設ける必要がなく、従って、安価な用紙穿孔装置を得ることができる。
【図面の簡単な説明】
【図１】本発明に従って構成された用紙穿孔装置を備えた後処理装置を装備した画像形成機の一実施形態を示す概略構成図。
【図２】本発明に従って構成された用紙穿孔装置の３穴処理状態の一部を破断して示す平面図。
【図３】本発明に従って構成された用紙穿孔装置の２穴処理状態の一部を破断して示す平面図。
【図４】図２におけるＡ−Ａ線断面図。
【図５】図２におけるＢ−Ｂ線断面図。
【図６】本発明に従って構成された用紙穿孔装置に用いられる用紙ストッパおよび支持ブラケットの斜視図。
【図７】本発明に従って構成された用紙穿孔装置に用いられるばねクラッチを構成する回転制御部材の斜視図。
【図８】本発明に従って構成された用紙穿孔装置に用いられるフラッパー型ソレノイドの側面図。
【図９】本発明に従って構成された用紙穿孔装置に用いられるフラッパー型ソレノイドとばねクラッチを構成する回転制御部材との関係を示す平面図。
【図１０】本発明に従って構成された用紙穿孔装置に用いられるフラッパー型ソレノイドとばねクラッチを構成する回転制御部材との作動状態を示す説明図。
【図１１】本発明に従って構成された用紙穿孔装置に用いられる用紙ストッパとストッパ作動カムとの作動状態を示す説明図。
【図１２】本発明に従って構成された用紙穿孔装置に用いられるパンチユニットとパンチユニットの作動カムとの作動状態を示す説明図。
【図１３】本発明に従って構成された用紙穿孔装置を制御する制御手段の構成ブロック図。
【図１４】図１３に示す制御手段の処理手順を示すフローチャート。
【符号の説明】
２：静電複写機
４：後処理装置
５：機体ハウジング
６：静止透明板
７：自動原稿搬送装置
８：感光体ドラム
９：帯電用コロナ放電器
１０：現像装置
１１：転写用コロナ放電器
１２：剥離用コロナ放電器
１３：クリーニングユニット
１４：除電ランプ
１５：照射ランプ
１６：第１のミラー
１７：第２のミラー
１８：第３のミラー
１９：レンズ
２０：第４のミラー
２２：用紙供給装置
２３：用紙カセット
２４：用紙カセット
２５：用紙送出ローラ
２６：用紙送出ローラ
２７：捌きローラ対
２８：捌きローラ対
２９：案内路
３０：搬送ローラ対
３１：搬送ローラ対
３２：レジストローラ対
３３：転写紙搬送ベルト機構
３４：定着装置
３５：排出ローラ対
３６：排出口
４０：装置ハウジング
４０１：用紙搬入口
４１：第１の用紙搬送路
４１１：案内板
４１２：案内板
４２：搬送ローラ対
４３：排出排出ローラ対
４４：電動モータ（Ｍ１）
４５：第２の用紙搬送路
４６：分岐爪
４７：電磁ソレノイド（ＳＯＬ１）
４８：ノンソート用トレイ
４９：ソート用トレイ
５０：用紙穿孔装置
６０：用紙案内手段
６１：上案内板
６１１：通孔
６２：下案内板
６２１：パンチ孔
６５：レジストローラ対
６７：用紙検出器（ＳＷ１）
７０：パンチユニット
７１：パンチガイド
７２：パンチ
７３：押圧機構
７４：切り換え軸
７５：切り換え軸作動機構
７３０：押圧機構の押圧部材
７３５：コイルばね
７６：手前側側板
７７：奥側側板
７８：駆動歯車
７５０：電磁ソレノイド（ＳＯＬ２）
８０：カム駆動手段
８１：カム軸
８２：カム
８３：ばねクラッチ
８４：フラッパー型ソレノイド（ＳＯＬ３）
９０：用紙ストッパ
９２：支持ブラケット
９６：ストッパ作動カム
１００：制御手段
２００：複写機本体の制御手段
２０１：複写開始キー（ＳＷ２）
２０２：２穴パンチキー（ＳＷ３）
２０３：３穴パンチキー（ＳＷ４）
２０４：ステイプルキー（ＳＷ５）
【図１】
0003608373.tif 000002
【図２】
0003608373.tif 000003
【図３】
0003608373.tif 000004
【図４】
0003608373.tif 000005
【図５】
0003608373.tif 000006
【図６】
0003608373.tif 000007
【図７】
0003608373.tif 000008
【図８】
0003608373.tif 000009
【図９】
0003608373.tif 000010
【図１０】
0003608373.tif 000011
【図１１】
0003608373.tif 000012
【図１２】
0003608373.tif 000013
【図１３】
0003608373.tif 000014
【図１４】
0003608373.tif 000015